(57)【特許請求の範囲】
【請求項１】
磁極位置検出素子が実装された基板を備えるモールド固定子と、
椀状隔壁部品内に回転自在に収納され、一端が前記磁極位置検出素子に対向し、他端が羽根車を取付ける羽根車取付部を備えた回転子部を有する回転子と、を備え、
前記回転子部は、
第１マグネットと、リング状に形成された磁極位置検出用樹脂マグネットと、前記第１マグネットの内側に配置されるスリーブ軸受とが熱可塑性樹脂と共に一体となっており、前記羽根車取付部が前記熱可塑性樹脂で形成されており、
前記第１マグネットは、
前記磁極位置検出用樹脂マグネットの台座となる第１突起を備え、
前記第１突起と対向する位置に、前記磁極位置検出用樹脂マグネットが設けられており、
前記第１マグネットは、円筒状であり、
羽根車側端面に向かって軸方向に延在する第２突起が、前記第１マグネットの内周側に周方向に沿って複数個形成されている
ポンプ。
【請求項２】
前記第１マグネットの外周部に、軸方向に延在する複数個の溝部を備えている
請求項１に記載のポンプ。
【請求項３】
前記溝部は、
放射状に前記回転子に形成される磁極間に形成されている
請求項２に記載のポンプ。
【請求項４】
前記溝部は、
前記回転子の両端面に開放するように形成されている
請求項２又は３に記載のポンプ。
【請求項５】
前記第１マグネットは、
前記第１マグネットの回転方向の位置決め及び前記第１マグネットと前記スリーブ軸受との同軸を確保することを可能とする角形状の切欠きが、前記磁極位置検出用樹脂マグネットの対向側端面に放射状に複数個形成されている
請求項１〜４のいずれか一項に記載のポンプ。
【請求項６】
前記第１マグネットは、
樹脂マグネットで構成されている
請求項１〜５のいずれか一項に記載のポンプ。
【請求項７】
冷媒−水熱交換器を介して冷媒回路と水回路とを接続し、前記水回路に請求項１〜６のいずれか一項に記載のポンプを搭載した
冷凍サイクル装置。
【請求項８】
固定子鉄心を製造し、
リング状の磁極位置検出用樹脂マグネットを成形し、
前記磁極位置検出用樹脂マグネット設置側の端面に該磁極位置検出用樹脂マグネットの台座となる第１突起を備え、羽根車取付部側の端面に放射状に複数個形成され、断面形状が長穴形状の凹部を備える第１マグネットを成形し、
前記固定子鉄心に巻線し、さらに併せて前記第１マグネットと前記磁極位置検出用樹脂マグネットとスリーブ軸受とを一体成形して回転子部を組立て、
前記巻線後の固定子鉄心に基板を組み付けて固定子を組立て、併せて羽根車と前記回転子部を組み付け、さらに併せて軸とスラスト軸受と椀状隔壁部品とを組立て、
前記固定子の端子と前記基板とを半田付けし、併せて下穴部品を成形し、併せてケーシングを成形し、さらに併せて前記椀状隔壁部品に前記回転子部及び前記羽根車を有する回転子を組付け、
前記固定子に、前記下穴部品を組み付けることで固定子組立を組立て、
前記固定子と前記下穴部品とをモールド一体成形してモールド固定子を組立て、さらに併せて前記椀状隔壁部品に前記ケーシングを固定してポンプ部を組立て、
前記モールド固定子に前記ポンプ部を組付け、タッピングネジで固定し、
前記第１マグネットは円筒状であり、前記第１マグネットの内周側に周方向に沿って形成され、羽根車側端面に向かって軸方向に延在し、前記回転子部の一体成形時に金型が押し当てられる第２突起が複数個形成されている
ポンプの製造方法。
【請求項９】
前記第１マグネットの外周部に軸方向に延在する複数個の溝部を備え、
前記溝部は、
前記第１マグネットと前記磁極位置検出用樹脂マグネットと前記スリーブ軸受との熱可塑性樹脂による一体成形時に、前記熱可塑性樹脂により埋設される
請求項８に記載のポンプの製造方法。
【請求項１０】
前記第２突起は、等間隔に形成されている
請求項８又は９に記載のポンプの製造方法。
【請求項１１】
前記第１マグネットには、
前記回転子部の一体成形時に金型が当接し、前記第１マグネットの回転方向の位置決め及び前記第１マグネットとスリーブとの同軸を確保することを可能とする角形状の切欠きが、前記磁極位置検出用樹脂マグネットの対向側端面に放射状に複数個形成されている
請求項８〜１０のいずれか一項に記載のポンプの製造方法。
【発明の詳細な説明】
【技術分野】
【０００１】  この発明は、ポンプ及び例えば、空気調和装置や床暖房装置、給湯装置等の冷凍サイクル装置、並びにポンプの製造方法に関するものである。
【背景技術】
【０００２】  従来から、ポンプに関する発明が種々提案されている。そのようなものの１つとして、外側を樹脂で被覆された円筒状のマグネットとマグネットの磁極位置を検出するホール素子を有するものが提案されている。具体的には、マグネットの磁極位置を検出したホール素子の信号により、コイルに電流を通電させて、回転磁界を発生させるブラシレスモータのホール素子側のマグネット端面に、マグネット突起を設けたブラシレスモータおよびそれを用いたポンプが開示されている。（例えば、特許文献１参照）。特許文献１に記載のポンプは、マグネット突起を設けることにより、マグネットとホール素子との距離を短くしている。これにより、ホール素子への磁力が強くなり、マグネットが高温になって減磁してもホール素子への磁力が不足しないため、制御部の部品が異常発熱に至らなく、正常に運転を続けることができる。
【先行技術文献】
【特許文献】
【０００３】
【特許文献１】特開２００５−３２３４５２号公報
【発明の概要】
【発明が解決しようとする課題】
【０００４】  しかしながら、上記特許文献１におけるポンプは、マグネットの外周部を樹脂で被覆してマグネットを固定しているため、固定子とマグネット間の距離が長く、ポンプを駆動するモータの性能が低下する恐れがあった。また、マグネットの位置検出素子対向面に突起を備えるため、突起のある箇所とホール素子との距離は短くなるものの、突起のない箇所とホール素子との距離は長くなった。そのため、ホール素子への磁力が不足する場合があり、位置検出精度が低下する恐れがあった。【０００５】  この発明は、以上のような課題を解決するためになされたもので、ポンプ用電動機の回転子のマグネットを強固に保持し、熱衝撃等によるマグネットの割れを抑制し、ポンプの品質向上を図ることを可能とするとともに、リング状の位置検出用マグネットを用いて位置検出マグネットの主磁束を検知することで位置検出精度を向上させ、ポンプの品質向上を図るポンプ及びポンプの製造方法を提供する。さらに、固定子とマグネットの径方向距離を短くし、ポンプを駆動するモータの性能向上を図るポンプ及び冷凍サイクル装置並びにポンプの製造方法を提供する。
【課題を解決するための手段】
【０００６】
本発明に係るポンプは、磁極位置検出素子が実装された基板を備えるモールド固定子と、椀状隔壁部品内に回転自在に収納され、一端が前記磁極位置検出素子に対向し、他端が羽根車を取付ける羽根車取付部を備えた回転子部を有する回転子と、を備え、前記回転子部は、第１マグネットと、リング状に形成された磁極位置検出用樹脂マグネットと、前記第１マグネットの内側に配置されるスリーブ軸受とが熱可塑性樹脂と共に一体となっており、前記羽根車取付部が前記熱可塑性樹脂で形成されており、前記第１マグネットは、前記磁極位置検出用樹脂マグネットの台座となる第１突起を備え、前記第１突起と対向する位置に、前記磁極位置検出用樹脂マグネットが設けられており、前記第１マグネットは、円筒状であり、羽根車側端面に向かって軸方向に延在する第２突起が、前記第１マグネットの内周側に周方向に沿って複数個形成されているものである。
【発明の効果】
【０００７】  本発明に係るポンプは、スリーブ軸受とマグネットと位置検出用マグネットとが熱可塑性樹脂で一体成形される際に、マグネットの外周部に備える溝部が熱可塑性樹脂で埋設されるので、マグネットが軸方向及び周方向に強固に保持され、熱衝撃等によるマグネットの割れが抑制され、ポンプの品質向上を図ることができると共に、リング状の位置検出用マグネットを用いて位置検出マグネットの主磁束を検知することで位置検出精度を向上させ、ポンプの品質向上を図ることができる。さらに、マグネットの外周部に備える溝部以外は回転子の外周部に表出するので、固定子とマグネットの距離を短くし、ポンプを駆動するモータの性能向上を図ることができるという効果を有する。
【図面の簡単な説明】
【０００８】
【図１】本発明の実施の形態１に係るヒートポンプ式給湯装置３００の構成図である。
【図２】本発明の実施の形態１に係るポンプ１０の分解斜視図である。
【図３】本発明の実施の形態１に係るモールド固定子５０の斜視図である。
【図４】本発明の実施の形態１に係るモールド固定子５０の断面図である。
【図５】本発明の実施の形態１に係る固定子組立４９の分解斜視図である。
【図６】本発明の実施の形態１に係るポンプ部４０の分解斜視図である。
【図７】本発明の実施の形態１に係るポンプ１０の断面図である。
【図８】本発明の実施の形態１に係るケーシング４１を軸支持部４６側から見た斜視図である。
【図９】本発明の実施の形態１に係る回転子部６０ａの断面図（図１１のＡ−Ａ断面図）である。
【図１０】本発明の実施の形態１に係る回転子部６０ａを羽根車取付部６７ａ側から見た側面図である。
【図１１】本発明の実施の形態１に係る回転子部６０ａを羽根車取付部６７ａの反対側から見た側面図である。
【図１２】本発明の実施の形態１に係るスリーブ軸受６６の拡大断面図である。
【図１３】本発明の実施の形態１に係る樹脂マグネット６８の断面図（図１５のＢ−Ｂ断面図）である。
【図１４】本発明の実施の形態１に係る樹脂マグネット６８を突起６８ａ側から見た側面図である。
【図１５】本発明の実施の形態１に係る樹脂マグネット６８を突起６８ａの反対側から見た側面図である。
【図１６】本発明の実施の形態１に係る樹脂マグネット６８を突起６８ａ側から見た斜視図である。
【図１７】本発明の実施の形態１に係る樹脂マグネット６８を突起６８ａの反対側から見た斜視図である。
【図１８】本発明の実施の形態１に係る回転子部６０ａを突起６８ａ側から見た斜視図である。
【図１９】本発明の実施の形態１に係る回転子部６０ａを突起６８ａの反対側から見た斜視図である。
【図２０】本発明の実施の形態１に係るポンプ１０の製造工程を示す図である。
【図２１】本発明の実施の形態１に係る冷媒−水熱交換器２を用いる装置の回路を示す概念図である。
【図２２】本発明の実施の形態１に係る椀状隔壁部品９０の椀状隔壁部９０ａ側から見た斜視図である。
【図２３】本発明の実施の形態１に係る樹脂マグネット６８を突起６８ａの反対側から見た溝部２００を示す斜視図である。
【発明を実施するための形態】
【０００９】  以下、本発明の実施の形態を図面を用いて詳細に説明する。
【００１０】  実施の形態１．  図１は、本発明の実施の形態１に係るヒートポンプ式給湯装置３００の構成図である。図１に基づいて、本発明の実施の形態１に係るポンプが用いられる冷凍サイクル装置の一例であるヒートポンプ式給湯装置について、その概要を簡単に説明する。なお、図１を含め、以下の図面では各構成部材の大きさの関係が実際のものとは異なる場合がある。
【００１１】
ヒートポンプ式給湯装置３００は、冷媒回路を備えた冷凍サイクル装置の一例であり、ヒートポンプユニット１００と、タンクユニット１１０と、ユーザが運転操作などを行う操作部１１とを備えている。
【００１２】  図１において、ヒートポンプユニット１００は、冷媒を圧縮する圧縮機１（例えば、ロータリ圧縮機、スクロール圧縮機等）、冷媒と水とが熱交換を行う冷媒−水熱交換器２、高圧の冷媒を減圧膨張させる減圧装置３、低圧の二相冷媒を蒸発させる蒸発器４を冷媒配管１５によって環状に接続された冷媒回路と、圧縮機１の吐出圧力を検出する圧力検出装置５と、蒸発器４に送風するファン７と、ファン７を駆動するファンモータ６と、を備えている。
【００１３】  また、温度検出手段として、冷媒−水熱交換器２の沸上げ温度検出手段８と、冷媒−水熱交換器２の給水温度検出手段９と、外気温度検出手段１７と、を備えている。
【００１４】  また、ヒートポンプユニット１００は、ヒートポンプユニット制御部１３を備える。ヒートポンプユニット制御部１３は、圧力検出装置５、沸上げ温度検出手段８、給水温度検出手段９、及び外気温度検出手段１７からの信号を受信し、圧縮機１の回転数制御、減圧装置３の開度制御、ファンモータ６の回転数制御を行う。
【００１５】
タンクユニット１１０は、冷媒−水熱交換器２で高温・高圧の冷媒と熱交換することにより加熱された湯水を貯湯する温水タンク１４と、風呂水の追い焚きを行う風呂水追い焚き熱交換器３１と、風呂水循環装置３２と、冷媒−水熱交換器２と温水タンク１４の間に配置された温水循環装置であるポンプ１０と、温水循環配管１６と、ポンプ１０と温水タンク１４と風呂水追い焚き熱交換器３１とに接続された混合弁３３と、温水タンク１４と混合弁３３とを接続する風呂水追い焚き配管３７と、を備えている。
【００１６】  また、温度検出手段として、タンク内水温検出装置３４、風呂水追い焚き熱交換器３１を通過した後の水温を検出する追い焚き後水温検出装置３５、混合弁３３を通過した後の水温を検出する混合後水温検出装置３６を備えている。
【００１７】
また、タンクユニット１１０は、タンクユニット制御部１２を備えている。タンクユニット制御部１２は、タンク内水温検出装置３４、追い焚き後水温検出装置３５、混合後水温検出装置３６からの信号を受信するとともに、ポンプ１０の回転数制御、混合弁３３の開閉制御、及び操作部１１との間で信号の送受信を行う。
【００１８】  操作部１１は、ユーザが湯水の温度設定や出湯指示などを行うためのスイッチなどを備えたリモコンや操作パネルなどである。
【００１９】
図１において、上記のように構成したヒートポンプ式給湯装置における通常の沸上げ運転動作について説明する。操作部１１またはタンクユニット１１０からの沸上げ運転指示がヒートポンプユニット制御部１３に伝えられると、ヒートポンプユニット１００は沸上げ運転を行う。
【００２０】  ヒートポンプユニット１００に備えられたヒートポンプユニット制御部１３は、圧力検出装置５、沸上げ温度検出手段８、給水温度検出手段９の検出値などに基づいて、圧縮機１の回転数制御、減圧装置３の開度制御、ファンモータ６の回転数制御を行う。
【００２１】  また、ヒートポンプユニット制御部１３とタンクユニット制御部１２との間で沸上げ温度検出手段８の検出値の送受信を行い、タンクユニット制御部１２は、沸上げ温度検出手段８で検出した温度が目標沸上げ温度になるよう、ポンプ１０の回転数を制御する。
【００２２】  以上のように制御されるヒートポンプ式給湯装置３００において、圧縮機１から吐出された高温高圧の冷媒は冷媒−水熱交換器２で給水回路側へ放熱しながら温度低下する。放熱して冷媒−水熱交換器２を通過した高圧低温の冷媒は、減圧装置３で減圧される。減圧装置３を通過した冷媒は蒸発器４に流入し、そこで外気空気から吸熱する。蒸発器４を出た低圧冷媒は圧縮機１に吸入されて循環し冷凍サイクルを形成する。
【００２３】  一方、温水タンク１４の下部の水は、温水循環装置であるポンプ１０の駆動により冷媒−水熱交換器２へ導かれる。ここで、冷媒−水熱交換器２からの放熱によって水が加熱され、加熱された湯水は温水循環配管１６を通って温水タンク１４の上部に戻されて蓄熱される。
【００２４】  以上のように、ヒートポンプ式給湯装置３００において、温水タンク１４と冷媒−水熱交換器２との間の温水循環配管１６に、湯水を循環させる温水循環装置としてポンプ１０が用いられる。
【００２５】  図２は、本発明の実施の形態１に係るポンプ１０の分解斜視図である。  図２に示すように、ポンプ１０は、回転子（後述する）の回転により水を吸水して吐出するポンプ部４０と、回転子を駆動するモールド固定子５０と、ポンプ部４０とモールド固定子５０とを締結する締結ネジであるタッピングネジ１６０（図２の例は、５本）とを備える。但し、タッピングネジ１６０の数は５本に限定されるものではない。
【００２６】  本実施の形態に係るポンプ１０は、５本のタッピングネジ１６０をポンプ部４０のボス部４４に形成されたネジ穴４４ａを介し、モールド固定子５０に埋め込まれた下穴部品８１（後述する図５参照）の下穴８４に締結することでポンプ１０を組み立てる。
【００２７】  先ず、モールド固定子５０の構成について説明する。図３は、本発明の実施の形態１に係るモールド固定子５０の斜視図である。図４は、本発明の実施の形態１に係るモールド固定子５０の断面図である。図５は、本発明の実施の形態１に係る固定子組立４９の分解斜視図である。
【００２８】  図３、図４に示すように、モールド固定子５０は、固定子組立４９（図５参照）をモールド樹脂５３によりモールド成形することにより得られる。
【００２９】  モールド固定子５０の軸方向の一方の端面（ポンプ部４０側）は、外周縁部に沿って平らなポンプ部設置面６３になっている。
【００３０】  ポンプ部設置面６３には、五隅に略円柱状の樹脂成形品の下穴部品８１の足部８５（図４、図５参照）が軸方向に埋め込まれている。モールド樹脂５３によるモールド成形時に、下穴部品８１の足部８５の一方の端面（ポンプ部４０側）は、成形金型の金型押え部８２（図４参照）になる。そのため、下穴部品８１が、ポンプ部設置面６３より所定の距離だけ内側に埋め込まれる形で表出している。表出しているのは、金型押え部８２及びタッピングネジ１６０用の下穴８４である。
【００３１】  後述する固定子組立４９から引き出されるリード線５２が、モールド固定子５０のポンプ部４０の反対側の軸方向端面付近から外部に引き出されている（図４では、左隅）。
【００３２】  モールド固定子５０のモールド樹脂５３（熱硬化性樹脂）によるモールド成形時の軸方向の位置決めは、基板押え部品９５（図５参照）に形成されている複数個の突起９５ａの軸方向外側の端面が、上型の金型押え部になる。そのため、モールド固定子５０の基板５８側の軸方向端面に、複数個の突起９５ａの軸方向外側の端面（金型押え面）が表出している（図示せず）。
【００３３】  また、反結線側（ポンプ部４０側）の絶縁部５６の軸方向端面が、下型の金型押え部になる。そのため、モールド固定子５０の基板５８の反対側の軸方向端面に、反結線側の絶縁部５６の端面が表出している（図示せず）。
【００３４】  モールド固定子５０のモールド成形時の径方向の位置決めは、固定子鉄心５４の内周面が金型に嵌合することでなされる。そのため、図３に示すモールド固定子５０の内周部に、固定子組立４９の固定子鉄心５４のティースの先端部（内周部）が表出している。
【００３５】  モールド固定子５０の内部の構成、即ち、固定子組立４９（図４に示しているリード線５２、固定子鉄心５４、絶縁部５６、コイル５７、基板５８、端子５９等）、下穴部品８１については、後述する。
【００３６】  次に、固定子組立４９について説明する。図５に示すように、固定子組立４９は、固定子４７と、下穴部品８１と、を備える。
【００３７】  固定子組立４９は、以下に示す手順で製作される。（１）厚さが０．１〜０．７ｍｍ程度の電磁鋼板が帯状に打ち抜かれ、かしめ、溶接、接着等で積層された帯状の固定子鉄心５４を製作する。帯状の固定子鉄心５４は、複数個のティースを備える。図３に示すモールド固定子５０の内周部に、固定子鉄心５４のティースの先端部が表出している。ここで示す固定子鉄心５４は、薄肉連結部で連結されている１２個のティースを有するので、図３においても、１２箇所に固定子鉄心５４のティースの先端部が表出している。但し、図３で見えているティースは１２個のティースのうちの５個のティースである。
【００３８】（２）固定子鉄心５４のティースには、絶縁部５６が施される。絶縁部５６は、例えば、ＰＢＴ（ポリブチレンテレフタレート）等の熱可塑性樹脂を用いて、固定子鉄心５４と一体に又は別体で成形される。
【００３９】（３）絶縁部５６が施されたティースに、集中巻のコイル５７（図４参照）が巻回される。１２個の集中巻のコイル５７を接続して、三相のシングルＹ結線の巻線を形成する。
【００４０】（４）三相のシングルＹ結線であるので、絶縁部５６の結線側には、各相（Ｕ相、Ｖ相、Ｗ相）のコイル５７（図４参照）が接続される端子５９（図４参照、電源が供給される電源端子及び中性点端子）が組付けられる。電源端子は３個、中性点端子は１個である。
【００４１】（５）基板５８が結線側の絶縁部５６（端子５９が組付けられる側）に取り付けられる。基板５８は、基板押え部品９５により絶縁部５６との間に挟持される。基板５８には、電動機（ブラシレスＤＣモータ）を駆動するＩＣ５８ａ（駆動素子）、回転子６０の位置を検出するホール素子５８ｂ（図４参照、位置検出素子）等が実装されている。ＩＣ５８ａは基板５８の基板押え部品９５側に実装されるので、図５で見えているが、ホール素子５８ｂは、ＩＣ５８ａとは反対側に実装されるので、図５では見えていない。ＩＣ５８ａやホール素子５８ｂを、電子部品と定義する。また、基板５８には、その外周縁部付近の切り欠き部にリード線５２を口出しするリード線口出し部品６１が、取り付けられる。
【００４２】（６）リード線口出し部品６１が取り付けられた基板５８が基板押え部品９５により絶縁部５６に固定され、端子５９と基板５８とが半田付けされた固定子４７に下穴部品８１を組みつけることで固定子組立４９が完成する。
【００４３】  下穴部品８１の構成を図５により説明する。下穴部品８１は、ＰＢＴ（ポリブチレンテレフタレート）等の熱可塑性樹脂を成形して形成される。
【００４４】  図４、５に示すように、タッピングネジ１６０の下穴８４を備えた略円柱部の複数の足部８５が、薄肉の連結部８７で連結されている。略円柱部の足部８５は、下穴部品８１を固定子４７とともにモールド成形した後、下穴部品８１の抜け防止のため、足部８５の表出端面（金型押え部８２、及び、突起８３端部）を基準に中央部に向かって太くなるテーパ状である。
【００４５】  また、下穴部品８１は、下穴部品８１の回転防止のための複数の突起８５ａ（例えば、一つの足部８５に４個）を足部８５の外周部に備えている。突起８５ａは、所定の周方向の幅で足部８５の高さ方向に形成される。また、突起８５ａは、下穴部品８１の回転を防止するために必要な所定の寸法分、足部８５の外周部から突出している。下穴部品８１は略円柱部の足部８５を薄肉の連結部８７で連結することで、モールド金型へ一度でセット可能なことにより、加工コストの低減が可能となる。
【００４６】
また、下穴部品８１の連結部８７に、下穴部品８１を固定子４７に組み付けるための複数の爪８６を設け、固定子４７の固定子鉄心５４の外周部に形成された溝５４ａに、下穴部品８１の爪を係り止めすることにより、固定子４７と下穴部品８１とをモールド金型へ一度でセット可能なことにより、加工コストの低減が可能となる。
【００４７】  固定子４７に下穴部品８１を係り止めした固定子組立４９のモールド樹脂５３によるモールド成形時に、下穴部品８１のタッピングネジ１６０用の下穴８４の開口側の端面（金型押え部８２）と、下穴部品８１の他端面に備える突起８３とを、モールド成形金型により狭持することで下穴部品８１の軸方向の位置決めを行う。
【００４８】  下穴部品８１のタッピングネジ１６０用の下穴８４の開口側の端面の金型押え部８２の外径Ｄ２を、下穴部品８１の開口側の端面の外径Ｄ１より小さくする（図４参照）。それにより、下穴部品８１の端面は、金型押え部８２を除く部分が、モールド樹脂５３で覆われる。従って、下穴部品８１の両端面がモールド樹脂５３で覆われるので、下穴部品８１の表出を抑制し、ポンプ１０の品質向上を図ることが可能となる。
【００４９】  モールド固定子５０は、固定子４７に組み付けられた下穴部品８１がモールド樹脂５３で一体に成形され、このとき下穴部品８１の足部８５のタッピングネジ１６０用の下穴８４が表出する。ポンプ部４０に形成されたネジ穴４４ａを介して、ポンプ部４０とモールド固定子５０とをタッピングネジ１６０で下穴８４に締結して組み付けることにより、ポンプ部４０とモールド固定子５０とを強固に組み付けることが可能となる（図２参照）。
【００５０】  次に、ポンプ部４０の構成を説明する。図６は、本発明の実施の形態１に係るポンプ部４０の分解斜視図である。図７は、本発明の実施の形態１に係るポンプ１０の断面図である。図８は、本発明の実施の形態１に係るケーシング４１を軸支持部４６側から見た斜視図である。図２２は、本発明の実施の形態１に係る椀状隔壁部品９０の椀状隔壁部９０ａ側から見た斜視図である。図６に示すように、ポンプ部４０は、以下に示す要素で構成される。
【００５１】（１）ケーシング４１：流体の吸入口４２と吐出口４３とを有し、内部に回転子６０の羽根車６０ｂを収納する。ケーシング４１は、ＰＰＳ（ポリフェニレンサルファイド）などの熱可塑性樹脂を用いて成形される。ケーシング４１には、流体の吸入口４２側の端部に、ポンプ部４０とモールド固定子５０とを組み付ける際に用いられるネジ穴４４ａを有するボス部４４が５箇所に設けられる。
【００５２】（２）スラスト軸受７１：スラスト軸受７１の材質はアルミナ等のセラミックである。回転子６０は、ポンプ１０の運転中、回転子６０の羽根車６０ｂの表裏に作用する圧力差によりスラスト軸受７１を介してケーシング４１に押し付けられるため、スラスト軸受７１にはセラミックにより製作されたものを使用し、耐摩耗性、摺動性を確保している。
【００５３】（３）回転子６０：回転子６０は、回転子部６０ａと、羽根車６０ｂとを備える。回転子部６０ａは、フェライト等の磁性粉末と樹脂を混練したペレットを成形したリング状（円筒状）の樹脂マグネット６８と、フェライト等の磁性粉末と樹脂を混練したペレットを成形した薄肉リング状の位置検出用樹脂マグネットと、樹脂マグネット６８の内側に設けられる円筒形のスリーブ軸受６６（例えば、カーボン製）とが、例えばＰＰＥ（ポリフェニレンエーテル）等の樹脂部６７で一体化される（後述する図９参照）。羽根車６０ｂは、例えばＰＰＥ（ポリフェニレンエーテル）等の樹脂成形品である。回転子部６０ａと、羽根車６０ｂとが超音波溶着等により接合される。本実施の形態は、回転子６０の回転子部６０ａに特徴があるので、その詳細は後述する。
【００５４】（４）軸７０：軸７０の材質は、アルミナ等のセラミック、ＳＵＳなどである。軸７０は、回転子６０に備えるスリーブ軸受６６と摺動するため、セラミックやＳＵＳなどの材質が選ばれ、耐磨耗性、摺動性を確保している。椀状隔壁部品９０の軸支持部９４に軸７０の一端が挿入され、軸７０の他端がケーシング４１の軸支持部４６に挿入される。椀状隔壁部品９０の軸支持部９４に挿入される軸７０の一端は、軸支持部９４に対して回転しないように挿入される。そのため、軸７０の一端は所定の長さ（軸方向）円形の一部を切り欠いたＤ字形状で、椀状隔壁部品９０の軸支持部９４の孔も軸の形状に合わせた形状になっている。また、ケーシング４１の軸支持部４６に挿入される軸７０の他端も、所定の長さ（軸方向）円形の一部を切り欠いたＤ字形状であり、軸７０は長さ方向に対称形である。但し、軸７０の他端は、ケーシング４１の軸支持部４６に回転可能に挿入される。軸７０が長さ方向に対称形なのは、軸７０を椀状隔壁部品９０の軸支持部９４に挿入する際に、上下の向きを意識することなく組立を可能とするためである（図６参照）。
【００５５】（５）Ｏリング８０：Ｏリング８０の材質は、ＥＰＤＭ（エチレン−プロピレン−ジエンゴム）などである。Ｏリング８０は、ポンプ部４０のケーシング４１と椀状隔壁部品９０とのシールを行う。給湯機などに搭載されるポンプでは、水周りのシールに耐熱性、長寿命が求められるため、ＥＰＤＭなどの材料を使用し、耐性を確保している。
【００５６】（６）椀状隔壁部品９０：椀状隔壁部品９０は、ＰＰＥ（ポリフェニレンエーテル）などの熱可塑性樹脂を用いて成形される。椀状隔壁部品９０は、モールド固定子５０との嵌合部である椀状隔壁部９０ａと、鍔部９０ｂとを備える。椀状隔壁部９０ａは、円形の底部と円筒形の隔壁とで構成される。円形の底部の内面の略中央部に、軸７０の一端が挿入される軸支持部９４が立設している。鍔部９０ｂには、鍔部９０ｂを補強する補強リブ９１（図２２参照）が径方向に放射状に複数個（例えば、１０個）形成されている。また、鍔部９０ｂには、モールド固定子５０のポンプ部４０のポンプ部設置面６３に納まる環状リブ９３（図２２参照）を備える。また、鍔部９０ｂには、タッピングネジ１６０が通る孔９０ｄが５箇所に形成されている。さらに、鍔部９０ｂのケーシング４１側の面に、Ｏリング８０を収納する環状のＯリング収納溝９０ｃが形成されている。
【００５７】  ポンプ１０は、椀状隔壁部品９０にＯリング８０を設置した後、ケーシング４１を椀状隔壁部品９０に組付けポンプ部４０を組立、モールド固定子５０にポンプ部４０を組付けタッピングネジ１６０等により固定して組立てられる。
【００５８】  椀状隔壁部品９０の底部に備えるリブ９２と、モールド固定子５０の溝（図示せず）とが、嵌合することでポンプ部４０とモールド固定子５０の周方向の位置決めがなされる。
【００５９】  椀状隔壁部品９０の椀状隔壁部９０ａの内周には、椀状隔壁部品９０の軸支持部９４に挿入される軸７０に回転子６０が嵌められて収納される。従って、モールド固定子５０と回転子６０との同軸を確保するために、モールド固定子５０の内周と椀状隔壁部品９０の椀状隔壁部９０ａの外周との隙間はできるだけ小さい方がよい。例えば、その隙間は、０．０２〜０．０６ｍｍ程度に選ばれる。
【００６０】  モールド固定子５０の内周と椀状隔壁部品９０の椀状隔壁部９０ａの外周との隙間を小さくすると、モールド固定子５０の内周に椀状隔壁部品９０の椀状隔壁部９０ａを挿入する場合に、空気が逃げ道が狭くなり椀状隔壁部品９０の挿入が困難になる。
【００６１】  図９は、本発明の実施の形態１に係る回転子部６０ａの断面図（図１１のＡ−Ａ断面図）である。図１０は、本発明の実施の形態１に係る回転子部６０ａを羽根車取付部６７ａ側から見た側面図である。図１１は、本発明の実施の形態１に係る回転子部６０ａを羽根車取付部６７ａの反対側から見た側面図である。図１２は、本発明の実施の形態１に係るスリーブ軸受６６の拡大断面図である。
【００６２】  図９乃至図１２を参照しながら回転子部６０ａについて説明する。図９乃至図１１に示すように、回転子部６０ａは、少なくとも以下の要素を備える。そして、例えば、ＰＰＥ（ポリフェニレンエーテル）等の熱可塑性樹脂（樹脂部６７）により、樹脂マグネット６８と、磁極位置検出用樹脂マグネット６９と、スリーブ軸受６６とが一体成形される。
【００６３】  樹脂マグネット６８は、略リング状（円筒状）で、フェライト等の磁性粉末と樹脂を混練したペレットで成形したものである。
【００６４】  磁極位置検出用樹脂マグネット６９は、薄肉の略リング状で、フェライト等の磁性粉末と樹脂を混練したペレットで成形したものである。磁極位置検出用樹脂マグネット６９は、厚み方向の両側に段差を持ち、かつ、樹脂で埋設されると回り止めとなるリブを両側の段差に備え、その内径と外径の同軸度は精度良く作られている。
【００６５】  スリーブ軸受６６（例えば、カーボン製）は、樹脂マグネット６８の内側に設けられる。スリーブ軸受６６は、形状が円筒状である。スリーブ軸受６６は、ポンプ１０の椀状隔壁部品９０に組み付けられた軸７０に嵌合して回転するため、軸受けの材料に好適な焼結カーボン、カーボン繊維を添加したＰＰＳ（ポリフェニレンサルファイド）等の熱可塑性樹脂、セラミック等で製作される。スリーブ軸受６６は、概略軸中心から両端に向かって外径が小さくなる抜きテーパを備え、外周側の概略軸中心に回り止めとなる半球状の突起６６ａ（図１２参照）を複数備える。
【００６６】  羽根車取付部６７ａ側の樹脂マグネット６８の端面に形成される樹脂部６７には、樹脂成形用金型の上型に設けられるマグネット押さえ部の箇所に第１の凹部６７ｂが形成される。第１の凹部６７ｂは、図９の例では、略中央部（径方向）に形成される。第１の凹部６７ｂは、樹脂マグネット６８の突起６８ａと対向する位置に形成される。
【００６７】  また、羽根車取付部６７ａには、図１０に示すように、羽根車６０ｂを取り付けるための羽根車位置決め穴６７ｃが、周方向に略等間隔に、例えば、３個形成されている。羽根車位置決め穴６７ｃは、羽根車取付部６７ａを貫通している。羽根車位置決め穴６７ｃは、樹脂マグネット６８の３個の突起６８ａ（図１０に、３個の突起６８ａが示されている）のうちの２個の中間の径方向延長線上に形成されている。
【００６８】  さらに、羽根車取付部６７ａには、図１０に示すように、回転子部６０ａの熱可塑性樹脂（樹脂部６７）による成形時のゲート６７ｅ（樹脂注入口）が、周方向に略等間隔に、例えば、３個形成されている。ゲート６７ｅは、樹脂マグネット６８の３個の突起６８ａの径方向の延長線上で、羽根車位置決め穴６７ｃよりも内側に形成されている。
【００６９】
そして、羽根車取付部６７ａと反対側の樹脂マグネット６８の内周面に形成される樹脂部６７には、樹脂成形用金型の下型に設けられる位置決め用突起（図示せず）に嵌め合わされる切欠き６７ｄが形成される（図９、図１１参照）。切欠き６７ｄは、図１１の例では、略９０°間隔で４箇所に形成される。切欠き６７ｄは、樹脂マグネット６８の切欠き６８ｂ（後述、図１５）の位置に形成される。
【００７０】  図１３は、本発明の実施の形態１に係る樹脂マグネット６８の断面図（図１５のＢ−Ｂ断面図）である。図１４は、本発明の実施の形態１に係る樹脂マグネット６８を突起６８ａ側から見た側面図である。図１５は、本発明の実施の形態１に係る樹脂マグネット６８を突起６８ａの反対側から見た側面図である。図１６は、本発明の実施の形態１に係る樹脂マグネット６８を突起６８ａ側から見た斜視図である。図１７は、本発明の実施の形態１に係る樹脂マグネット６８を突起６８ａの反対側から見た斜視図である。図１８は、本発明の実施の形態１に係る回転子部６０ａを突起６８ａ側から見た斜視図である。図１９は、本発明の実施の形態１に係る回転子部６０ａを突起６８ａの反対側から見た斜視図である。
【００７１】  次に、図１３乃至図１５を参照しながら樹脂マグネット６８の構成を説明する。ここで示す樹脂マグネット６８は、磁極数が８極のものである。樹脂マグネット６８は、回転子６０に成形された状態で、羽根車取付部６７ａと反対側の端面の内周側に、テーパ状の切欠き６８ｂを周方向に略等間隔に複数個備える。図１５の例では、切欠き６８ｂは８個である。切欠き６８ｂは、内側よりも端面側の径が大きくなるテーパ形状である。
【００７２】  樹脂マグネット６８は、テーパ状の切欠き６８ｂが形成された端面と反対側の端面から所定の深さの内周側に、略角形状（円弧形状）の突起６８ａを周方向に略等間隔に複数個備える。図１４の例では、突起６８ａは３個である。
【００７３】  図１４に示すように、突起６８ａは、側面から見て略角形状で、端面側に凸部６８ａ−１を備える。回転子部６０ａを一体成形する際、突起６８ａの端部に備える凸部６８ａ−１が回転子部６０ａを形成する熱可塑性樹脂（樹脂部６７）で保持されることで、樹脂部６７と樹脂マグネット６８との間に樹脂のヒケによる微小な隙間が出来た際にも樹脂マグネット６８の回転トルクを確実に伝達することができ、回転子部６０ａの品質向上が図れる。突起６８ａの形状は、略角形状に限定されるものではない。三角、台形、半円、多角形等の形状でもよい。
【００７４】  樹脂マグネット６８は、樹脂マグネットの片端面に、プラスチックマグネット（樹脂マグネット６８の素材）が供給されるゲート（図示せず）を備え、ゲート（図示せず）の位置は極中心である。磁極中心に樹脂マグネット６８が供給されるゲート（図示せず）を備えることで、樹脂マグネット６８の配向精度を向上することが可能となる。
【００７５】  図１３に示すように、樹脂マグネット６８の中空部は、突起６８ａが形成される端面から概略軸方向の中心位置までストレート形状で、且つ、突起６８ａが形成される端面の反対側端面から概略軸方向の中心位置までは抜きテーパ形状である。よって、金型から成形品を取り出すことが容易となる。そのため、樹脂マグネット６８の生産性が向上し、製造コストの低減が可能となっている。即ち、樹脂マグネット６８の中空部が抜きテーパとなっていることで、成形品の一部あるいは全部が金型へ張り付き取り出せなくなる状態となること（金型への取られ）を防止し、樹脂マグネット６８の生産性向上が可能となる。樹脂マグネット６８を成形する金型は、突起６８ａの抜きテーパ形状側の端面において固定側金型と稼働側金型に分けられ、稼働側金型で形成される中空部の一部がストレート形状となっていることで、より固定側金型への取られを防止し、樹脂マグネット６８の生産性向上が可能となる。稼働側金型からはエジェクタピンで押し出して取り出す。
【００７６】  図１５、図１６に示すように、樹脂マグネット６８は、回転子６０に成形された状態で、磁極位置検出用樹脂マグネット６９設置側に、磁極位置検出用樹脂マグネット６９の台座となる突起６８ｅが放射状に複数個（図１５の例では、８個）形成されている。また、羽根車取付部６７ａ側の端面に、断面形状が略長穴形状の凹部６８ｄが放射状に複数個（図１６の例では、８個）形成されている。回転子部６０ａの熱可塑性樹脂（樹脂部６７）による一体成形時に、突起６８ｅと凹部６８ｄは熱可塑性樹脂（樹脂部６７）で埋設され、樹脂マグネット６８は樹脂部６７で保持される。
【００７７】  図１５に示すように、磁極位置検出用樹脂マグネット６９の設置側に形成され、磁極位置検出用樹脂マグネット６９の台座となる突起６８ｅは、回転子６０に形成される磁極の略中心に形成されている。即ち、樹脂マグネット６８の素材が供給されるゲート（図示せず）位置に放射状に形成されている。
【００７８】  極中心に突起６８ｅを設けることで極中心の磁力を確保し、マグネットの磁力を向上させることができるのでポンプの性能向上を図ることができる。
【００７９】  更に、樹脂マグネット６８の羽根車取付部６７ａ側に形成される凹部６８ｄは、回転子６０に形成される磁極間、即ち、樹脂マグネット６８の素材が供給されるゲート（図示せず）間に位置する。このように、樹脂マグネット６８の極間に凹部６８ｄを設けることで、磁力の低下を極力抑制し、ポンプ１０の性能の低下を抑制することができる。
【００８０】  樹脂マグネット６８の磁極位置検出用樹脂マグネット６９の台座となる突起６８ｅ、または、羽根車取付部６７ａ側に形成される凹部６８ｄの少なくとも一方は、回転子６０に形成される磁極と同数である。突起６８ｅや凹部６８ｄを磁極と同数とすることにより、磁力のアンバランスを抑制できる。
【００８１】
磁極位置検出素子として、磁気センサであるホール素子５８ｂとその出力信号をデジタル信号に変換するＩＣが１パッケージ化され、基板５８に面実装されたホールＩＣを用い、磁極位置検出用樹脂マグネット６９の軸方向端面（磁極位置検出素子対向面）より磁極位置検出用樹脂マグネット６９の主磁束を検出する。
磁極位置検出用樹脂マグネット６９は、略リング状をしているとともに、ホール素子５８ｂの対向位置に設けられるので、ホール素子５８ｂが位置検出用マグネット６９の主磁束を検出しやすくなっている。これにより、ホール素子５８ｂを基板５８にホール素子ホルダ（図示せず）で固定し、樹脂マグネット６８の側面より樹脂マグネット６８の主磁束を検出する場合に比べて、位置検出精度を向上することができ、ポンプの品質向上が可能となる。
また、ホール素子ホルダが不要であるため、基板５８の加工費などを低減することができ、ポンプ１０の低コスト化が可能となる。
【００８２】  図２３に示すように、樹脂マグネットは、外周部に放射状に複数個形成され、前記マグネットの両端面から軸中心に向かって軸方向に延在し、熱可塑性樹脂での一体成形時に熱可塑性樹脂で埋設する略角形状の溝部２００を備えてもよい。溝部２００は、略同一放射線状に形成され、当該回転子に形成される磁極間に位置する。このように、樹脂マグネットの極間に溝部２００を設けることで、極中心に溝部を設けた場合と比較して磁力の低下を極力抑制し、ポンプの性能の低下を抑制することができる。さらに、溝部２００が樹脂マグネットの両端面に及ぶことでより強固にマグネットを保持することができる。
【００８３】  次に、ポンプ用電動機の回転子６０の熱可塑性樹脂による一体成形について説明する。
【００８４】  樹脂マグネット６８と磁極位置検出用樹脂マグネット６９とスリーブ軸受６６とを一体に成形する金型は、上型と下型で構成される（図示せず）。先ず、スリーブ軸受６６が下型にセットされる。スリーブ軸受６６は、横断面形状が対称であるため、周方向の向きを合わせることなく金型にセットすることができる。スリーブ軸受６６は、外周部に突起６６ａ（図１２参照）を複数備えるが、突起６６ａの位置は特に限定するものではない。そのため、作業工程が簡素化されて生産性が向上し、製造コストの低減が可能となる。
【００８５】  スリーブ軸受６６は、下型にセットされた時、下型に備えるスリーブ軸受挿入部（図示せず）に、スリーブ軸受６６の内径が保持されることにより、後工程でセットされる磁極位置検出用樹脂マグネット６９、及び、樹脂マグネット６８との同軸度の精度が確保される。
【００８６】  次に磁極位置検出用樹脂マグネット６９が下型にセットされる。磁極位置検出用樹脂マグネット６９は、横断面形状が対称であるため、周方向の向きを合わせることなく金型にセットすることができる。磁極位置検出用樹脂マグネット６９は、厚み方向の両側に段差を持ち、かつ、樹脂で埋設されると回り止めとなるリブを両側の段差に備えるが、リブの位置は特に限定するものではない。そのため、作業工程が簡素化されて生産性が向上し、製造コストの低減が可能となる。
【００８７】  磁極位置検出用樹脂マグネット６９は、下型にセットされた時、下型に備える磁極位置検出用樹脂マグネット６９の挿入部（図示せず）に、磁極位置検出用樹脂マグネット６９の内径が保持されることにより、スリーブ軸受６６と後工程でセットされる樹脂マグネット６８との同軸度の精度が確保される。
【００８８】  樹脂マグネット６８は、スリーブ軸受６６と磁極位置検出用樹脂マグネット６９とが下型にセットされた後に、樹脂マグネット６８の一方の端面（ポンプ用電動機の回転子６０の状態で、羽根車取付部６７ａと反対側の端面）の内径に備えるテーパ状の切欠き６８ｂが下型に設けられる位置決め用突起（図示せず）に嵌め合わされてセットされる。図１５の例では、切欠き６８ｂは８個あるが、その中の略９０°間隔の４個が下型の位置決め用突起（図示せず）に嵌め合わされることにより、スリーブ軸受６６と磁極位置検出用樹脂マグネット６９と樹脂マグネット６８との同軸度の精度が確保される。切欠き６８ｂを８個設けるのは、樹脂マグネット６８を下型にセットする際の作業性を向上させるためである。
【００８９】  さらに、上型が有するマグネット押さえ部（図示せず）を、樹脂マグネット６８の他方の端面（ポンプ用電動機の回転子６０の状態で、羽根車取付部６７ａ側の端面）の内周部に形成された略角形状の突起６８ａに軸方向から押し当てる。それにより、スリーブ軸受６６と磁極位置検出用樹脂マグネット６９と樹脂マグネット６８との軸方向位置関係が確保される。
【００９０】  図１４の例では、樹脂マグネット６８の内周の略角形状（又は円弧形状）の突起６８ａは、全部で３個あり、突起６８ａの金型設置面（金型で押えられる部分）は一体成形後に表出する。突起６８ａが３個となっているのは、樹脂マグネット６８の位置決め精度を確保すると同時に、一体成形に用いる熱可塑性樹脂の流入経路を確保することで、一体成形時の成形条件を緩和し、生産性を向上するためである。
【００９１】  下型の樹脂マグネット６８の挿入部（図示せず）と樹脂マグネット６８の外径との間に隙間がある場合でも、下型が有する内径押さえ部（位置決め用突起）で同軸度を確保し、上型と下型で挟み込むことにより、スリーブ軸受６６と磁極位置検出用樹脂マグネット６９と樹脂マグネット６８との位置関係及び同軸度の確保が可能となり、ポンプ１０の品質向上を図ることが可能となる。
【００９２】  また逆に、下型の樹脂マグネット６８の挿入部（図示せず）と樹脂マグネット６８の外径との間に隙間を作ることにより、樹脂マグネット６８を金型にセットする作業性が向上し、製造コストが低減されるとともに、樹脂マグネットの外周部に熱可塑性樹脂が流入し、樹脂マグネットを覆うことで強固に保持することができ、ポンプの品質向上を図ることができる。
【００９３】  樹脂マグネット６８と磁極位置検出用樹脂マグネット６９とスリーブ軸受６６とが金型にセットされた後、ＰＰＥ（ポリフェニレンエーテル）等の熱可塑性樹脂が射出成形されて、回転子部６０ａが形成される。このとき、樹脂マグネット６８の金型で押さえられない切欠き６８ｂ（図１７）、即ち４箇所の切欠き６８ｂと、樹脂マグネット６８の磁極位置検出用樹脂マグネット側の端面に設けられた突起６８ｅと、羽根車取付部６７ａ側の端面に設けられた凹部６８ｄとが、熱可塑性樹脂の樹脂部６７に埋設され回転トルクの伝達部分となる。さらに、突起６８ｅと凹部６８ｄとが、熱可塑性樹脂の樹脂部６７に埋設されることにより、樹脂マグネット６８が強固に保持される。
【００９４】  樹脂マグネットの外周部に溝部２００を備える場合、溝部２００が熱可塑性樹脂の樹脂部に埋設される。マグネットの外周部に備える溝部２００以外は回転子の外周部に表出させることで、固定子とマグネットの距離を短くすることで、互いに結合される磁束密度が増し、ポンプを駆動するモータの性能向上を図ることができる。  樹脂マグネットの極中心にゲートを備えるので、樹脂マグネットのフローフロント（流動先端部）が会合した場所に発生する Ｖノッチ状の糸状の細い線状痕であるウエルドラインは極間に形成される。溝部２００は樹脂マグネットの極間に形成されているため、溝部２００に熱可塑性樹脂が充填され、樹脂マグネットのウエルドラインを強固に保持することで、熱衝撃によるマグネット割れを抑制することができる。  樹脂マグネットの極間にゲートを備える場合には、樹脂マグネットのウエルドラインは極中心（樹脂マグネットの圧肉部）に形成される。溝部２００は樹脂マグネットの極間に形成されているため、溝部２００（樹脂マグネットの薄肉部）に熱可塑性樹脂が充填され、樹脂マグネットを強固に保持することで、熱衝撃によるマグネット割れを抑制することができる。
【００９５】  樹脂マグネット６８と磁極位置検出用樹脂マグネット６９とスリーブ軸受６６とが熱可塑性樹脂（樹脂部６７）にて一体に成形された後、樹脂マグネット６８に着磁を施す際、回転子部６０ａの羽根車取付部６７ａと反対側の樹脂マグネット６８端面の内周面に形成される切欠き６７ｄ（図１１では４箇所）を着磁時の位置決めに利用することで、精度の良い着磁が可能となる。
【００９６】  以上のように、本実施の形態によれば、以下の効果を奏する。（１）回転子部６０ａにスリーブ軸受６６と磁極位置検出用樹脂マグネット６９と一体成形される樹脂マグネット６８は、磁極位置検出用樹脂マグネット６９の設置側の端面に、磁極位置検出用樹脂マグネット６９の台座となる突起６８ｅを備え、羽根車取付部６７ａ側の端面に、放射上に複数個形成され、断面形状が略長穴形状の凹部６８ｄを備え、熱可塑性樹脂（樹脂部６７）による一体成形時に、突起６８ｅと凹部６８ｄは熱可塑性樹脂（樹脂部６７）で埋設され、樹脂マグネット６８を保持することにより、樹脂マグネット６８を強固に保持することができるとともに、リング状の位置検出用マグネットを精度よく設置し、位置検出マグネットの主磁束を検知することで位置検出精度を向上させ、ポンプの品質向上を図ることができる。（２）樹脂マグネットは、外周部に、放射状に複数個形成され、略角形状の溝部２００を備え、熱可塑性樹脂（樹脂部６７）による一体成形時に、溝部２００は熱可塑性樹脂（樹脂部６７）で埋設され、樹脂マグネット６８が保持されることにより、固定子と樹脂マグネット間の径方向距離を拡大せずに樹脂マグネット６８が強固に保持することができる。（３）樹脂マグネット６８の磁極位置検出用樹脂マグネット６９の設置側に形成され、磁極位置検出用樹脂マグネット６９の台座となる突起６８ｅは、回転子６０に形成される磁極の略中心に、略同一放射線状に形成されていることにより、磁極位置検出に用いる磁力を確保できる。（４）樹脂マグネット６８の羽根車取付部６７ａ側に形成される凹部６８ｄは、回転子６０に形成される磁極間に、略同一放射線状に形成されていることにより、樹脂マグネット６８に凹部６８ｄを設けたことによる磁力低下を抑制することができる。（５）樹脂マグネット６８の回転子６０に成形された状態で、磁極位置検出用樹脂マグネット６９の対向側に形成され、磁極位置検出用樹脂マグネット６９の台座となる突起６８ｅ、または、羽根車取付部６７ａ側に形成される凹部６８ｄの少なくとも一方は、回転子６０に形成される磁極と同数とすることにより、樹脂マグネット６８の磁力のアンバランスを抑制することができる。（６）樹脂マグネット６８は、片端面に樹脂マグネット６８の素材が供給されるゲート（図示せず）を備え、ゲート（図示せず）の位置は磁極の略中心であることにより、樹脂マグネット６８の配向精度を向上することができる。（７）樹脂マグネット６８の中空部は、突起６８ａが形成される端面から概略軸方向の中心位置までストレート形状で、かつ、突起６８ａが形成される端面の反対側端面から概略軸方向の中心位置までは抜きテーパ形状となっていることにより、樹脂マグネット６８の生産性を向上することができる。
【００９７】  図２０は、本発明の実施の形態１に係るポンプ１０の製造工程を示す図である。図２０により、ポンプ１０の製造工程を説明する。（１）ステップ１：固定子４７の製造。まず、厚さが０．１〜０．７ｍｍ程度の電磁鋼板が帯状に打ち抜かれ、かしめ、溶接、接着等で積層された帯状の固定子鉄心５４を製造する。併せて、スリーブ軸受６６を製造する。さらに併せて、樹脂マグネット６８を成形する。さらに併せて、位置検出用の樹脂マグネットを成形する。
【００９８】（２）ステップ２：固定子４７に巻線。具体的には、固定子鉄心５４に巻線を行う。薄肉連結部で連結された帯状の固定子鉄心５４のティースに、ＰＢＴ（ポリブチレンテレフタレート）等の熱可塑性樹脂を用いる絶縁部５６が施される。絶縁部５６が施されたティースに集中巻のコイル５７が巻回される。例えば、１２個の集中巻のコイル５７を接続して、三相のシングルＹ結線の巻線を形成する。三相のシングルＹ結線であるので、絶縁部５６の結線側には、各相（Ｕ相、Ｖ相、Ｗ相）のコイル５７が接続される端子５９（電源が供給される電源端子及び中性点端子）が組付けられる。併せて、基板５８を製造する。基板５８は、基板押え部品９５により絶縁部５６との間に挟持される。基板５８には、電動機（ブラシレスＤＣモータ）を駆動するＩＣ、回転子６０の位置を検出するホール素子等が実装されている。また、基板５８には、その外周縁部付近の切り欠き部にリード線を口出しするリード線口出し部品６１が、取り付けられる。併せて、回転子部６０ａを製造する。回転子部６０ａは、フェライト等の磁性粉末と樹脂を混練したペレットを成形したリング状（円筒状）の樹脂マグネット６８と、フェライト等の磁性粉末と樹脂を混練したペレットを成形した薄肉リング状の磁極位置検出用樹脂マグネット６９と、樹脂マグネット６８の内側に設けられる円筒形のスリーブ軸受６６（例えば、カーボン製）とが、例えばＰＰＥ（ポリフェニレンエーテル）等の樹脂で一体化される。さらに、併せて、羽根車６０ｂを成形する。羽根車６０ｂは、ＰＰＥ（ポリフェニレンエーテル）などの熱可塑性樹脂を用いて成形される。
【００９９】（３）ステップ３：基板５８を組付け固定子４７を製造する。リード線口出し部品６１が取り付けられた基板５８が基板押え部品９５により絶縁部５６に固定される。併せて、回転子部６０ａに羽根車６０ｂを超音波溶着等により組付ける。併せて、椀状隔壁部品９０を成形する。併せて、軸７０とスラスト軸受７１を製造する。軸７０は、ＳＵＳで製造される。スラスト軸受７１はセラミックで製造される。
【０１００】（４）ステップ４：基板５８を半田付けする。端子５９（電源が供給される電源端子及び中性点端子）と基板５８とを半田付けする。併せて、下穴部品８１を成形する。併せて、ケーシング４１を成形する。ケーシング４１は、ＰＰＳ（ポリフェニレンサルファイド）などの熱可塑性樹脂を用いて成形される。さらに、併せて、椀状隔壁部品９０に回転子６０等を組付ける。
【０１０１】（５）ステップ５：モールド固定子５０の製造。まず、固定子組立４９を製造する。固定子４７に、下穴部品８１を組み付けることで固定子組立４９が完成する。
【０１０２】（６）ステップ５：モールド固定子５０の製造。次に、固定子組立４９をモールド成形して、モールド固定子５０を製造する。併せて、椀状隔壁部品９０にケーシング４１を固定してポンプ部４０を組立てる。さらに、併せて、タッピングネジ１６０を製造する。
【０１０３】（７）ステップ６：ポンプ１０の組立を行う。モールド固定子５０にポンプ部４０を組付けタッピングネジ１６０で固定する。
【０１０４】  図２１は、本発明の実施の形態１に係る冷媒−水熱交換器２を用いる装置の回路を示す概念図である。冒頭で説明したヒートポンプ式給湯装置３００は、冷媒−水熱交換器２を用いる装置の一例である。
【０１０５】  冷媒−水熱交換器２を用いる装置は、例えば、空気調和装置もしくは床暖房装置もしくは給湯装置等である。本実施の形態のポンプ１０は、冷媒−水熱交換器２を用いる装置の水回路に搭載されて、冷媒−水熱交換器２で冷却もしくは加熱された水（湯）を水回路内で循環させる。
【０１０６】  図２１に示す冷媒−水熱交換器２を用いる装置は、冷媒を圧縮する圧縮機１（例えば、スクロール圧縮機、ロータリ圧縮機等）、冷媒と水とが熱交換を行う冷媒−水熱交換器２、蒸発器４（熱交換器）等を有する冷媒回路を備える。また、ポンプ１０、冷媒−水熱交換器２、負荷２０等を有する水回路を備える。つまり、冷媒回路と水回路とが冷媒−水熱交換器２で接続されて、熱の授受を行うようになっている。
【０１０７】  実施の形態１のポンプ用電動機の回転子６０を搭載したポンプ１０を、冷媒−水熱交換器２を用いる装置（空気調和装置もしくは床暖房装置もしくは給湯装置）に適用した場合、ポンプ１０の性能及び品質向上、生産性の向上に伴い、冷媒−水熱交換器２を用いる装置（空気調和装置もしくは床暖房装置もしくは給湯装置）の性能向上及び品質向上、コスト低減が可能となる。
【符号の説明】
【０１０８】  １  圧縮機、２  冷媒−水熱交換器、３  減圧装置、４  蒸発器、５  圧力検出装置、６  ファンモータ、７  ファン、８  沸上げ温度検出手段、９  給水温度検出手段、１０  ポンプ、１１  操作部、１２  タンクユニット制御部、１３  ヒートポンプユニット制御部、１４  温水タンク、１５  冷媒配管、１６  温水循環配管、１７  外気温度検出手段、２０  負荷、３１  風呂水追い焚き熱交換器、３２  風呂水循環装置、３３  混合弁、３４  タンク内水温検出装置、３５  追い焚き後水温検出装置、３６  混合後水温検出装置、３７  風呂水追い焚き配管、４０  ポンプ部、４１  ケーシング、４２  吸入口、４３  吐出口、４４  ボス部、４４ａ  ネジ穴、４６  軸支持部、４７  固定子、４９  固定子組立、５０  モールド固定子、５２  リード線、５３  モールド樹脂、５４  固定子鉄心、５６  絶縁部、５７  コイル、５８  基板、５８ａ  ＩＣ、５８ｂ  ホール素子、５９  端子、６０  回転子、６０ａ  回転子部、６０ｂ  羽根車、６１  リード線口出し部品、６３  ポンプ部設置面、６６  スリーブ軸受、６６ａ  突起、６７  樹脂部、６７ａ  羽根車取付部、６７ｂ  第１の凹部、６７ｃ  羽根車位置決め穴、６７ｄ  切欠き、６７ｅ  ゲート、６８  樹脂マグネット、６８ａ  突起（本発明の第２突起に相当）、６８ｂ  切欠き、６８ｃ  ゲート、６８ｄ  凹部、６８ｅ  突起（本発明の第１突起に相当）、６９  磁極位置検出用樹脂マグネット、２００  溝部。
【図１】
0006029598.tif 000002
【図２】
0006029598.tif 000003
【図３】
0006029598.tif 000004
【図４】
0006029598.tif 000005
【図５】
0006029598.tif 000006
【図６】
0006029598.tif 000007
【図７】
0006029598.tif 000008
【図８】
0006029598.tif 000009
【図９】
0006029598.tif 000010
【図１０】
0006029598.tif 000011
【図１１】
0006029598.tif 000012
【図１２】
0006029598.tif 000013
【図１３】
0006029598.tif 000014
【図１４】
0006029598.tif 000015
【図１５】
0006029598.tif 000016
【図１６】
0006029598.tif 000017
【図１７】
0006029598.tif 000018
【図１８】
0006029598.tif 000019
【図１９】
0006029598.tif 000020
【図２０】
0006029598.tif 000021
【図２１】
0006029598.tif 000022
【図２２】
0006029598.tif 000023
【図２３】
0006029598.tif 000024